(57)【要約】【課題】手袋、ミトン、靴下、靴、長靴などの内側に使用するように構成されたカイロを提供すること。【解決手段】本体部分および本体部分から延在する１つまたは複数の末端部分を有する発熱体であって、前記１つまたは複数の末端部分が、実質的に、使用者の１つまたは複数のそれぞれ別個のまたは結合された末端部の形状に従うように構成される発熱体と、１つまたは複数の末端部分のうちの少なくとも１つに関連付けられた少なくとも１つの留め具とを備えるカイロ。また、カイロと、上述のカイロを受けるポケットを有する覆い物との組合せ。【選択図】図２
2010094517.tif 000002
【特許請求の範囲】
【請求項１】
本体部分および前記本体部分から延在する１つまたは複数の末端部分を有する発熱体であって、前記１つまたは複数の末端部分が、実質的に、使用者の１つまたは複数のそれぞれ別個のまたは結合された末端部の形状に従うように構成される発熱体と、前記１つまたは複数の末端部分のうちの少なくとも１つに関連付けられた少なくとも１つの留め具とを備えるカイロ。
【請求項２】
前記留め具が、２つ以上の前記末端部分と関連付けられた、請求項１に記載のカイロ。
【請求項３】
前記末端部分のそれぞれと関連付けられた留め具を備える、請求項１に記載のカイロ。
【請求項４】
前記本体部分に関連付けられた支持部をさらに備える、請求項１に記載のカイロ。
【請求項５】
前記少なくとも１つの留め具が、少なくとも１つの末端部分の縁部の回りに、前記留め具の縁部を貼り合わせることによって形成される、請求項１に記載のカイロ。
【請求項６】
前記末端部分のそれぞれと関連付けられ、前記本体部分を覆う留め具を備え、前記留め具が、前記本体部分の底部を越えて延在する耳部をさらに備える、請求項１に記載のカイロ。
【請求項７】
前記留め具が、薄い層のポリエチレンから形成される、請求項１に記載のカイロ。
【請求項８】
前記発熱体が、少なくとも着用者の手と接触するように構成される側において被覆材料で裏打ちされる、請求項１に記載のカイロ。
【請求項９】
カイロと覆い物との組合せにおいて、前記カイロが、本体部分および前記本体部分から延在する１つまたは複数の末端部分を有する発熱体であって、前記１つまたは複数の末端部分が、実質的に、使用者の１つまたは複数のそれぞれ別個のまたは結合された末端部の形状に従うように構成される発熱体と、前記１つまたは複数の末端部分のうちの少なくとも１つに関連付けられた少なくとも１つの留め具とを備え、前記カイロの前記末端部分が、使用者の１つまたは複数の末端部を受ける前記覆い物の一部分と関連付けられるように、前記覆い物が、前記カイロを受ける開口部を有するポケットを備える組合せ。
【請求項１０】
前記覆い物が、前記ポケットを閉じた構成に保持する閉鎖部材をさらに備える、請求項９に記載の組合せ。
【請求項１１】
前記閉鎖部材が、磁石、スナップ、ボタン、留め金、フックとループの留め具、ファスナ、フックと鳩目金、および折り返し端部からなる群から選択される、請求項９に記載の組合せ。
【請求項１２】
前記覆い物が、手袋、手袋ライナー、ミトン、靴下、靴、および長靴を含む群から選択される、請求項９に記載の組合せ。
【請求項１３】
前記カイロが、前記覆い物が手袋および手袋ライナーを含む群から選択されるとき複数の末端部分を含み、前記覆い物がミトン、靴下、靴および長靴からなる群から選択されるとき１つの末端部分を含む、請求項１２に記載の組合せ。
【請求項１４】
前記カイロの前記少なくとも１つの留め具が、少なくとも１つの末端部分の縁部の少なくとも一部分の回りに前記留め具の縁部の少なくとも一部分を固定することによって形成される、請求項９に記載の組合せ。
【請求項１５】
前記留め具の少なくとも一部分が、貼り合わせ、接着、押さえ付け、糊付け、およびヒートシールからなる群のうちの１つによって、前記カイロの前記末端部分の少なくとも一部分に固定される、請求項１４に記載の組合せ。
【請求項１６】
前記カイロが、前記末端部分のそれぞれと関連付けられ、前記本体部分を覆う留め具を備え、前記留め具が、前記本体部分の底部を越えて延在する耳部をさらに備える、請求項９に記載の組合せ。
【請求項１７】
前記カイロの前記留め具が、薄い層のポリエチレンから形成される、請求項９に記載の組合せ。
【発明の詳細な説明】
【技術分野】
【０００１】
関連出願への参照
本出願は、参照によって本明細書に組み込まれる２００９年１０月２０日出願の米国仮特許出願第６１／１０６，６３０号に対する優先権を主張する。
【０００２】
本発明は、足用カイロを含むカイロに関し、より詳細には、手袋、ミトン、靴下、靴、長靴などの内側に使用するように構成されたカイロおよび足用カイロに関する。
【背景技術】
【０００３】
極端な低温気象の環境において手および足を暖かく保つのを助ける、足用カイロを含むカイロは、当技術において既知である。これらは、通常、末端部を暖かく保つために、手に保持されるか、またはポケット、手袋、ミトン、靴下、靴、長靴などの中に配置される。カイロおよび熱源のタイプによって、カイロは、約１時間から約２４時間持続可能である。
【０００４】
初期のカイロは、酸化によって熱を発生させるようにプラチナ触媒と反応される点火液または液体プロパンガスで満たされた小型の炉の形態をとっていた。このタイプのカイロは、単純に燃料を供給することによって再使用する意図を有する実質的な構成要素からなっていた。別のタイプのカイロは、過飽和状態の溶液の発熱を伴う結晶化によって熱を発生させる。このカイロは、通常再使用可能であり、カイロを煮沸し、冷ますことによって再装填可能である。このカイロの加熱は、結晶化を開始する核形成の中心を生成するカイロ内の小さい金属装置をパチンと折ることによって引き起こされる。結晶化が開始されると、結晶体のそれ自体の中の水分に塩分を溶解するのに必要とされていた熱が放出される。
【０００５】
現在、低温気象の屋外活動にかかわる人によって使用されるカイロは、ますます使い捨ての種類のものになってきている。これらは、通常、セルロース、鉄、水、活性炭、バーミキュライト、および塩を含み、空気にさらされると、発熱を伴う酸化によって熱を発生する。当技術において既知の使い捨てカイロは、しばしば、多くはおよそ高さ２インチから３インチ×幅３インチから４インチである小さい長方形の形状に形成される。これらのカイロは酸化によって熱を発生させるため、封止されたプラスチックの包みなどの密閉容器の中に包装されており、使用する準備ができたとき、包みが開かれ、カイロは作動および使用されるように空気にさらされる。
【０００６】
当然ながら、使用者はカイロを使用する様々なやり方を見出してきた。あるものは、ポケットに配置され、それによって、使用者がポケットに手を入れたとき、一時的に手を温めるようにカイロを保持できる。他の人々は、手袋または靴の中にカイロを配置し、カイロが、手のひらもしくは手の甲の上に載るか、または足指の下もしくは上に載るようにする。このため、製造業者は、カイロを手の甲の領域にあるポケットの中に挿入するように、手袋の外面に開口部を備えた手袋およびミトンを製造するようになった。しかしながら、カイロおよび手袋または靴下の構造が、カイロによって供給される熱が最も必要である、指に対する良好な熱分配を妨げる。
【先行技術文献】
【特許文献】
【０００７】
【特許文献１】米国仮特許出願第６１／１０６，６３０号
【発明の概要】
【発明が解決しようとする課題】
【０００８】
したがって、低温により激しく影響を受ける傾向のある末端部、すなわち指および足指に対するカイロの必要性が、当技術に存在する。また、そのようなカイロは、特別な手袋、ミトン、靴下、靴などのあるなしにかかわらず使用可能である必要がある。
【課題を解決するための手段】
【０００９】
本発明は、本体部分および本体部分から延在する１つまたは複数の末端部分を有する発熱体であって、前記１つまたは複数の末端部分が、実質的に、使用者の１つまたは複数のそれぞれ別個のまたは結合された末端部の形状に従うように構成される発熱体と、１つまたは複数の末端部分のうちの少なくとも１つに関連付けられた少なくとも１つの留め具とを備えるカイロに関する。本明細書に使用されるカイロという用語は、同様に構成されるが手よりも足の解剖学的構造に関連するように特に構成される足用カイロを含む追加の構成にわたるように意図される。この点に関して、１つまたは複数の指、ならびに１つまたは複数の末端部という用語は、１つまたは複数の足指ならびに１つまたは複数の指を意味するものと理解される。
【００１０】
任意の適切なカイロの技術が本発明に適用され得るが、カイロは使い捨ての種類のものであることが好ましく、当技術で既知の活性炭の種類のものであることが最も好ましい。活性炭は典型的に粉末状であり、このカイロは通常可撓性であるため、使用者にある程度の可動性および手先の細かい動きをもたらすので、この技術は本発明に特に適する。このタイプの技術を使用して、本発明のカイロは、また、包みを開けることで、活性炭が発熱を開始するのに必要な酸素を与えるように、使用者の両手または使用者の両足に対して、１つの包みにつき１つまたは２つが包装可能である。
【００１１】
本発明のカイロは、最も好ましくは、一般に「覆い物」と本明細書に称される手袋、ミトン、靴下、靴などに使用されるように意図されるので、留め具は、１つまたは複数の末端部によって係合されるように構成される。１つまたは複数の末端部によって留め具が係合されると、手または足が中に挿入されるにつれて、カイロが覆い物の中へと移動され、覆い物の中で、手または足および末端部の位置に対して、カイロを正しく設置できる。すなわち、留め具は、覆い物の中へ挿入されつつあるカイロが、覆い物の中へ挿入されつつある手および末端部に対して、実質的に固定された関係に保持できるようにする。
【００１２】
留め具は、カイロを覆い物の中へ移動させるように、１つまたは複数の末端部のうちの少なくとも１つによって一時的に係合可能である任意の要素であり得る。好ましくは、留め具は、１つまたは複数の末端部の少なくとも先端部を係合するキャップとして形成される。より好ましくは、留め具は、各末端部の先端部を係合するキャップを含み、指の領域の下へと下方に延在する、概ねカイロの形状に切断された別の層として形成される。この点に関して、キャップタイプの留め具は、個々にまたは集合的に、１つまたは複数の末端部と関連付けられ得る。
【００１３】
当然ながら、２つ以上の末端部を覆うように形成されたキャップ留め具は、２つ以上の専用末端部のための区画を有するミトン、靴下、靴、長靴などの覆い物にのみ使用可能である。カイロが、専用末端部のための個々の区画を備えた手袋または覆い物に使用されるように意図される場合、特定の区画のための専用末端部が、それ自体の各留め具を有することが好ましい。
【００１４】
キャップタイプの留め具を使用するとき、キャップは、発熱体自体によって一方の側に形成され、キャップ材料がキャップ部分の残りの部分を形成してもよい。任意の適切な材料がキャップ部分の残りの部分に使用可能であるが、キャップ部分の残りの部分は、必要に応じて、使用者が皮膚に当てて快適である触覚材料から形成されることが好ましい。したがって、キャップはプラスチック材料から形成可能であるが、キャップは、触れて不快でない織物または他の通気性材料から形成されることが好ましい。
【００１５】
他のタイプの留め具が、本発明の精神から逸脱することなく、本発明に使用可能である。たとえば、留め具は、好ましくは発熱体の末端部分の一方の側から他方の側まで、１つまたは複数の末端部の回りに延びる帯の形であることができる。このような帯のタイプの留め具は、係合される１つまたは複数の末端部の様々なサイズに適合するように、使用時に、弾性または調整可能であることが好ましい。したがって、帯のタイプの留め具は、カイロを使用者の末端部に対して実質的に固定された関係に保持するように１つまたは複数の末端部の一部分を囲む、弾性のゴム帯またはゴム材料の帯、ベルクロ製細片、１つまたは複数の粘着性の端部を有する細片などから形成され得る。
【００１６】
複数の末端部のための単一の留め具を備えたカイロの使用は、複数の末端部のための単一の区画を有するミトン、靴下、靴、長靴などでの使用が意図されるカイロに使用可能である。しかしながら、手袋での使用に最も好ましい実施形態では、カイロは、各末端部に関連付けられた留め具を有する。さらに、より完全に末端部を係合することが望まれる場合、２つ以上の留め具が、１つまたは複数の末端部と関連付けられ得る。
【００１７】
本発明のカイロの好ましい実施形態は、また、好ましくは、末端部を越えて手または足を係合するように発熱体の本体部分に関連付けられた支持部を含む。使用者の手または足を係合するための支持部は、帯のタイプの留め具に関して上述されたように、使用者の手または足の少なくとも一部分を囲み、好ましくは発熱体の本体部分の両側に取り付けられる、好ましくは帯のタイプの支持部である。代替として、手または足のための支持部は、使用者の手または足に対して発熱体を保持するのを助ける、末端部に関連付けられた留め具の延長部または他の適切な部材であり得る。
【００１８】
追加の手先の細かい動きまたは感覚を必要とする、猟師、漁師またはその他の人々のためなどの代替実施形態では、本発明のカイロは、人差し指に関連付けられた障害物を排除するように形成可能である。したがって、このような実施形態の使用者は、引き金を引いたり釣り糸を探ったりなどするとき、カイロによる影響を受けにくくなる。
【００１９】
本発明のカイロの発熱体は、使用者の手のひら側もしくは手の甲側、または使用者の足の裏または甲に使用するように配置可能であるが、使用者の手の甲側または足の甲に配置されることが好ましい。この位置に置くことによって、着用者がカイロの存在を感じることが制限され、また、発熱体の外被が壊れ、中に保持されている発熱材料を放出する可能性が制限される。
【００２０】
本発明のカイロは、特に、覆い物用の、手袋またはミトン、ならびに靴下または靴での使用が企図される。最も好ましくは、カイロが、使用者の皮膚に直接接触することなく覆い物の中へ挿入可能であるように、覆い物は、覆い物に対する追加の層などの形態のポケット内にカイロを受けるように構成される。このようなポケットが使用されるとき、カイロを失わないように、または、不必要なものがポケットに入らないように、または、開いたポケットもしくは未完成の体裁を引っ掛けることによって使用者の邪魔をしないように、カイロが挿入されるポケットの開口部を閉鎖できる閉鎖装置を有してよい。
【００２１】
本発明は、同様の参照符号が同様の部品を指す添付の図面を参照して考慮するとよりよく理解される。しかしながら、この図面は、本発明をいかなる方式に限定することなく、本発明の好ましい実施形態を単に例示するために示されている。
【図面の簡単な説明】
【００２２】
【図１】本発明に従って形成されたカイロの第１実施形態の上面図である。
【図２】本発明に従って形成された図１に示されるカイロの第１実施形態の下面図である。
【図３】本発明に従って形成されたカイロの第２実施形態の下面図である。
【図４】本発明に従って形成されたカイロの第３実施形態の下面図である。
【図５】本発明に従って形成された図１に示されるカイロの第１実施形態の側面斜視図である。
【図６】本発明に従って形成された図１に示されるカイロの第１実施形態の前面斜視図である。
【図７】本発明に従って形成された図４に示されるカイロの挿入部の実施形態の後面斜視図である。
【図８】本発明に従って形成された足での使用のためのカイロの一実施形態の下面図である。
【図９Ａ】本発明のカイロの好ましい実施形態の概略図である。
【図９Ｂ】図９Ａのカイロの指先の部分的な側面図である。
【図９Ｃ】好ましい寸法を含む、図９Ａに示される本発明のカイロの好ましい実施形態の概略図である。
【図１０Ａ】カイロの指部分を越えて延在する留め具を備えた、本発明のカイロの最も好ましい実施形態の概略図である。
【図１０Ｂ】好ましい寸法を含む、図１０Ａに示される本発明のカイロの最も好ましい実施形態の概略図である。
【図１１】本発明のカイロのためのポケットを備えた、好ましい手袋の甲の平面図である。
【図１２】図１１の好ましい手袋の側面の立面図である。
【図１３】本発明のカイロを受ける開いた構成のポケットを備えた、図１１の好ましい手袋の斜視図である。
【発明を実施するための形態】
【００２３】
本発明は、一般に、本体部分６および本体部分６から延在する１つまたは複数の末端部分８を有する発熱体４と、１つまたは複数の末端部分８のうちの少なくとも１つに関連付けられた少なくとも１つの留め具１０とを備えるカイロ２に関する。好ましいカイロ２の末端部分８は、実質的に、使用者の１つまたは複数のそれぞれ別個のまたは結合された末端部、すなわち手袋において使用され得るようにそれぞれの個々の指か、または、ミトンにおいて使用され得るように２つ以上の指を一緒にしたものの形状に従うように構成される。
【００２４】
発熱体４は、好ましくは、当技術において既知のように、活性炭技術を使用して好ましくは製造される使い捨てのカイロ要素であり、本体部分６および１つまたは複数の末端部分８を備えて形成される。さらに既知のように、好ましい活性炭発熱体４は、長方形の支持部上に活性炭を包含する酸素透過性の外膜を用いて作製される。発熱体４は、使用のために開けられるまで、気密容器の中に包装される。さらに、発熱体４は可撓性であり、使用者の手に対して配置されたとき、事実上無制限に動くことができる。
【００２５】
図、特に図１〜３、図５、図６、図９Ａおよび図１０Ａに示されるように、発熱体４は、人の手の一部分、特に指の領域に従うような形状にされる。当然ながら、図８に示すように、この形状は代替として足に従うことができ、この図は同様に、最も詳細には、末端部としての足指に関する。
【００２６】
特定の用途では末端部の下の領域へは熱が望まれないために、本体部分８が熱を発生させない場合でも、複数の末端部分８が使用されるとき、発熱体４の本体部分６は、末端部分８のための連結部として働く。さらに、末端部分８が末端部の下に延在する必要がない場合、特に、末端部分８が２つ以上の末端部と関係され得るミトンの中または足に使用されるとき、本体部分６は末端部分８に組み込み可能である。
【００２７】
図２〜６に示すように、本発明のカイロ２は、カイロ２を中で正しく位置決めするために、末端部が覆い物の中へ挿入される際に末端部を係合する留め具１０を含む。留め具１０は、覆い物への挿入の際に、使用者の末端部に対して実質的に固定された関係に発熱体４を保持するのに適する任意の形態をとることができる。しかしながら、最も好ましい留め具１０は、１つまたは複数の末端部の先端部が係合するキャップとして、図２、図５、図６および図９Ｂに示されている。
【００２８】
キャップタイプの留め具１０では、１つまたは複数のキャップの材料は、縫い合わせ、ヒートシール、接着剤、またはその他の適切な手段によって、発熱体４の隣接する部分に取付け可能である。これは図５および６に最もよく示されており、この場合、キャップ材料が末端部分８の端部から延在するポケットを形成する。キャップタイプの留め具１０の材料は、任意の適切な材料であり得るが、着用者に対する不快感を最小限にするために、材料は比較的薄く、快い手触りのものであることが好ましい。したがって、ポリエチレン、いくらかの弾性を有する紙などが、留め具１０を形成する材料として使用されるのに適すると考えられる。
【００２９】
図３および４に示される代替実施形態では、留め具１０は、カイロ２を覆い物に挿入する際に、第１関節より上の使用者の末端部によって係合可能である帯または細片状の材料から形成される。最も好ましくは、帯のタイプの留め具１０’は、任意の既知の手段によって発熱体４の末端部分の両側に取り付けられる弾性材料からなる。必要ではないが、このような帯のタイプの留め具１０’が弾性でない場合、留め具１０’は、係合される１つまたは複数の末端部の様々なサイズに適合するように調整可能であることが好ましい。
【００３０】
本明細書に述べられる実施形態に限定されないが、企図される帯のタイプの留め具１０’は、カイロ２を使用者の末端部に対して実質的に固定された関係に保持するように、１つもしくは複数の末端部の一部分を囲む、弾性のゴム帯もしくは布帯、ベルクロ細片、紐、１つもしくは複数の粘着性の端部を有する紙もしくはプラスチックの細片などから形成可能である。
【００３１】
当然ながら、要望に応じて、２つ以上のタイプの留め具１０が、単一の実施形態において使用可能であるか、または、２つ以上の留め具１０が、単一の末端部もしくは末端部の集合体に使用可能である。たとえば、図２は、親指の基部に帯のタイプの留め具１０’を備えた、親指の先端部でのキャップタイプの留め具１０の使用を示す。同様に、図４は、親指の第１関節のちょうど上方に１つ、親指の基部に１つといった、親指に２つの帯のタイプの留め具１０を使用している状態を示す。
【００３２】
この最も好ましい実施形態では、カイロ２は、カイロ２を覆い物へ挿入する際に、使用者の手または足に対して発熱体４を支持するのを助ける支持部１２を含む。帯のタイプの留め具１０’と同様に、支持部１２は、好ましくは、カイロ２を使用者の手または足に対して実質的に固定された関係に保持するように、１つもしくは複数の末端部の一部分を囲む、弾性のゴム帯もしくは布帯、ベルクロ細片、紐、１つもしくは複数の粘着性の端部を有する紙もしくは細片などから形成される。
【００３３】
さらに、このように使用されるときの使用者の皮膚に対する発熱体４の快適さを改善するために、使用者の皮膚と接触するように企図される発熱体４の側部が、触れてより快適である被覆材料（図示せず）を有することができる。これは、好ましくは、表面上に形成されるか、または発熱体４の側部に取り付けられる、弾性を有する薄い層からなる紙状の布などの通気性材料であってよい。
【００３４】
本発明のカイロ２は、特定の作業ならびに特定の覆い物に適用可能である。たとえば、図４に示すように、人差し指に短い末端延長部８’を備えるスポーツマン用のカイロ２’が形成される。この構成によって、使用者の人差し指は、狩猟の際に引き金を引くこと、または釣りの際に釣り糸を探ることなどの作業に対してより敏感になる。特定の作業のためのその他のこのような構成もまた、本発明の精神の範囲内にあることが意図される。
【００３５】
図７および図１１〜１３は、カイロ２が中に挿入可能である開口部１６とカイロ２が中に保持可能であるポケット１８とを有する手袋、手袋ライナー、ミトン、靴下、靴、長靴などの特殊な覆い物１４の中へ挿入部として本発明のカイロ２を使用する代替の方法を含む。この特殊な覆い物１４を使用するとき、使用者は、標準の覆い物について上述されたように、特殊な覆い物１４のポケット１８の中へカイロ２を挿入することができる。カイロ２が特殊な覆い物１４のポケット１８内に位置決めされると、カイロ２を適所に残したまま、使用者は手または足を抜くことができる。
【００３６】
カイロ２とポケットを有する覆い物１４のこの組合せと併せて、図７は、ポケット１８の開口部１６を、５本指のカイロがポケット１８の中に挿入できるようにする、親指の領域から小指まで延在する弓形の細穴として示す。代替として、図１１〜１３に示すように、覆い物１４は、４本指のみに関連付けられ、親指に関連付けられないポケットを有することができる。覆い物１４は、ポケット１８を形成するように、覆い物１４の一方の側に取り付けられる追加の外側層２０を有し、この外側層２０は、好ましくは、ポケット１８の開口部１６を閉じた構成に保持する閉鎖部材２２を含むことができる。
【００３７】
閉鎖部材２２は、組になった磁石、スナップ、ボタン、留め金、ベルクロタイプのフックとループ部分、ファスナ部分、フックと鳩目金、折り返し端部などを含む、任意の適切なタイプのものであってよい。当然ながら、開口部１６を閉じた構成に保持するようにポケット１８および／または閉鎖部材２２を形成する外側層２０を備えたこのような構成は、説明された本発明から逸脱しない様々な実施形態に適応され得る。しかしながら、その最も好ましい実施形態において、閉鎖部材２２は、開口部１６の縁部に縫い込まれた、組になった磁石または磁石と磁石のブランクを含む磁石である。
【００３８】
図９Ａは、親指を含む本発明のカイロの好ましい実施形態の概略図である。図９Ｂは、留め具１０を形成する追加の層を、発熱体４を形成する層に対して、貼り合わせ、接着、押さえ付け、糊付け、ヒートシール、または固定を行うことによって、留め具１０の少なくとも一部分が、カイロ２の末端部分８の少なくとも一部分、好ましくはそれぞれの末端部分８全体の回りに固定された、好ましいカイロ２の指先部分の側面図である。
【００３９】
図９Ａの実施形態の好ましい寸法が図９Ｃに示されるが、任意の適切な寸法が、多様な構成の選択に依存して使用可能であることを理解されたい。したがって、図９Ｂの図の詳細は、すべての許容される請求項の範囲を越えて本発明に限定されるようには意図されない。
【００４０】
図１０Ａの最も好ましい実施形態では、カイロ２は親指部分を含まない。しかしながら、この実施形態は、末端部分８のすべての側部、および耳部２４に終端する本体部分６の底部の下へと下方へ延在する本体部分６の側部に沿った、加熱要素４に対する追加の層として形成される留め具１０を備えて示される。この留め具１０の構成は、好ましくは、覆い物１４の中への挿入のために留め具１０と加熱要素４との間に使用者の指を挿入することのできる繊維材料から形成される一体状の部品である。
【００４１】
上述の本発明の好ましい実施形態に対する変更、修正、改変は、それ自体が当業者に明らかであろう。このようなすべての変更は、添付の請求項によってのみ限定される、本発明の精神および範囲の内にあることが意図される。
【符号の説明】
【００４２】
２  カイロ
２’  カイロ
４  発熱体
６  本体部分
８  末端部分
８’  末端延長部
１０  留め具
１０’  留め具
１２  支持部
１４  覆い物
１６  開口部
１８  ポケット
２０  外側層
２２  閉鎖部材
２４  耳部
【図１】
2010094517.tif 000003
【図２】
2010094517.tif 000004
【図３】
2010094517.tif 000005
【図４】
2010094517.tif 000006
【図５】
2010094517.tif 000007
【図６】
2010094517.tif 000008
【図７】
2010094517.tif 000009
【図８】
2010094517.tif 000010
【図９Ａ】
2010094517.tif 000011
【図９Ｂ】
2010094517.tif 000012
【図９Ｃ】
2010094517.tif 000013
【図１０Ａ】
2010094517.tif 000014
【図１０Ｂ】
2010094517.tif 000015
【図１１】
2010094517.tif 000016
【図１２】
2010094517.tif 000017
【図１３】
2010094517.tif 000018
【外国語明細書】
2010094517000001.pdf